(57)【特許請求の範囲】
【請求項１】
デジタル化された画像データを受け取る入力部と、前記画像データに画像処理を施して所定のプリント用データを生成する画像処理部と、前記プリント用データを用いて写真プリントを作製するデジタルプリンタと、前記デジタルプリンタで用いられるプリント用データをリムーバブル記録メディアに記録するデータ記録部を備えたデジタル写真処理装置において、
前記データ記録部が、顧客に配布されるリムーバブル記録メディアの記録可能容量を検出する容量チェック部と、前記写真プリントを再プリントするための再プリント用データの容量が前記容量チェック部によって検出された記録可能容量を上回った場合前記再プリント用データを再プリントのプリントサイズと前記デジタルプリンタの解像度に応じた適正解像度に自動変換する解像度変換部とを備えていることを特徴とするデジタル写真処理装置。
【請求項２】
前記データ記録部が、前記解像度変換部で解像度変換された前記再プリント用データを、この再プリント用データの容量と前記リムーバブル記録メディアの記録可能容量との関係から自動的に設定される圧縮率で圧縮処理するデータ圧縮部を備えていることを特徴とする請求項１に記載のデジタル写真処理装置。
【請求項３】
前記写真プリントが証明写真であることを特徴とする請求項１又は２に記載のデジタル写真処理装置。
【発明の詳細な説明】
【０００１】
【発明の属する技術分野】
本発明は、デジタル化された画像データを受け取る入力部と、前記画像データに画像処理を施して所定のプリント用データを生成する画像処理部と、前記プリント用データを用いて写真プリントを作製するデジタルプリンタと、前記デジタルプリンタで用いられるプリント用データをリムーバブル記録メディアに記録するデータ記録部を備えたデジタル写真処理装置に関する。
【０００２】
【従来の技術】
近年、デジタルカメラ（デジタルスチルカメラ）やデジタルビデオカメラなどのデジタル撮像装置は高性能化が進み、適正な画像処理を施して、高性能のデジタルプリンタを用いてプリントすると、従来の光学式カメラによる写真プリントと変わらない品質の写真プリントが得られる。ＤＰショップには、デジタル式ミニラボなどの採用にともなって写真画像の画像処理のノウハウを持っているとともに高性能なデジタルプリンタを所有しているところが多く、こういったショップではデジタル撮像装置で取得された画像データのプリント出力を請け負うサービスを始めている。
【０００３】
特に、パスポートや免許証の証明写真あるいはお見合い写真などは、現像処理が不要であるとともに、取り直しの自由があるため、ＤＰショップでは、急速に取り入られてきている。ＤＰショップにおいて、デジタルカメラなどを用いて証明写真を作製する場合には、人物を複数コマ撮影して得られた画像データを取り込み、適当な画像処理を施してディスプレイに表示された写真画像から最適なものを選択し、この選択された写真画像のプリント用データを用いてデジタルプリンタで写真プリントを作製する。その際、再プリント注文に備えてそのプリントに用いられた最終的な画像データをフロッピーディスクなどのリムーバブル記録媒体に保存して、顧客に仕上がり写真プリントとともに渡すようにすれば、これは、例えば、従来の証明写真などには見られなかったサービスであり、顧客に喜ばれるサービスとなる。
【０００４】
【発明が解決しようとする課題】
しかしながら、２００万画素タイプの標準的なデジタルカメラの場合１６００ｘ１２００ピクセルでＴＩＦＦ非圧縮の静止画１枚の画像データサイズは５. ５メガバイトにも達する。８００ｘ６００ピクセルであっても、１. ４メガバイトとなる。このため、最も手軽で安価なリムーバブル記録媒体であるフロッピーディスクは使えなくなり、ＭＯやＣＤ−Ｒは記録容量は桁違いに大きいが１枚あたりのコストも桁違いに高価となるため、結局記録すべき画像データを圧縮することになる。しかし、十分な圧縮率を得るためには非可逆圧縮法を用いなければならないが、画面の劣化を考慮するならば、リムーバブル記録媒体に記録できる範囲で圧縮率はできるだけ小さくしたい。このような画像データ毎に圧縮率を調整することはオペレータにかかる負担が大きく、デジタル写真処理作業の生産性を悪くする。
【０００５】
また、リムーバブル記録媒体としてＭＯやＣＤ−Ｒを用いて、写真プリントを作製した最終的な多数の写真画像データを保存記録する際にも、場合によってはそれらの画像データを圧縮する必要性が生じるが、やはり上述したようにオペレータに負担をかけることになる。
上記実状に鑑み、本発明の課題は、再プリント時の画質低下をできる限り抑えることができるように画像データを縮小してリムーバブル記録媒体に記録することができるデジタル写真処理装置を提供することである。
【０００６】
【課題を解決するための手段】
上記課題を解決するため、デジタル化された画像データを受け取る入力部と、前記画像データに画像処理を施して所定のプリント用データを生成する画像処理部と、前記プリント用データを用いて写真プリントを作製するデジタルプリンタと、前記デジタルプリンタで用いられるプリント用データをリムーバブル記録メディアに記録するデータ記録部を備えたデジタル写真処理装置において、本発明では、前記データ記録部が、顧客に配布されるリムーバブル記録メディアの記録可能容量を検出する容量チェック部と、前記写真プリントを再プリントするための再プリント用データの容量が前記容量チェック部によって検出された記録可能容量を上回った場合前記再プリント用データを再プリントのプリントサイズと前記デジタルプリンタの解像度に応じた適正解像度に自動変換する解像度変換部とを備えている。
【０００７】
この発明は、一般に、デジタル画像をデジタルプリンタでプリント出力する場合、そのデジタルプリンタのもつ解像度に基づいて定義される適正解像度を超えた解像度をもつプリント用データを与えてもその出力画像品質は改善されず、過剰な解像度となるという技術的知識に基づいている。
【０００８】
例えば、先ほど説明したような１６００ｘ１２００ピクセルの画像データを受け取った場合、プリント出力された写真プリントのサイズが８ｘ６cmとすると、その解像度は約５００ｄｐｉ（ｐｐｉ）となり、ＤＰショップ等で採用されているデジタルプリンタにとって適正な画像データの解像度が約２５０〜３００ｄｐｉであることを考慮すると、明らかに過剰な品質となっている。例えば、ミニラボ等に組み込まれているような印画紙用のデジタルプリントヘッドはドット単位で２５６階調程度の階調度が得られるので画像データの１画素とプリントヘッドによるドットが１対１で対応させることができ、一般にプリントヘッド自体の解像度が３００ｄｐｉ程度のものが使われており、このプリントヘッドに適正な画像データの解像度も同じく典型的には３００ｄｐｉ程度となる。このことは、写真画質プリントとしてよく利用されている昇華型プリンタにもあてはまる。これらとは違って、インクジェットプリンタでは、そのプリントヘッドはドット毎に多値階調を作り出すことは困難なので（薄い色を使用したりドット径を変えたりしてもせいぜい４値程度である）、プリントプロセスにおいて疑似階調方式を用いることになり、プリントヘッド自体の解像度が１２００ｄｐｉであっても、このプリントヘッドに適正な画像データの解像度は約２５０〜３００ｄｐｉである。
【０００９】
ここに注目して、本発明では、再プリントするために保存記録しようとするプリント用データが過剰な品質（その解像度が使用デジタルプリンタの適正解像度を超えている）の場合、解像度変換部によって、過剰な解像度が使用デジタルプリンタに対して適正となる解像度に変換される。前述した例では、写真プリントのサイズが８ｘ６cmのままで５００ｄｐｉを２５０ｄｐｉに変換すると、データサイズは１／４となる。このように、過剰品質を適正に戻すだけでデータサイズを縮小することができ、フロッピーディスクのような低容量メディアにも保存記録することが容易となる。
【００１０】
なお、前述した印画紙プリンタや昇華型プリンタなどの場合、プリンタ解像度に応じた適正解像度は、必ずしもデジタルプリンタの解像度に一致させる必要はなく、リムーバブル記録メディアの記録可能容量に余裕があればプリンタ解像度よりも多少高い解像度であっても良いし、逆に所望するプリント品質と比較してプリンタ解像度が高い場合はプリンタ解像度よりも多少低い解像度であってもよい。
【００１１】
しかも本発明では、容量チェック部によって保存記録しようとする再プリントのためのプリント用データに対して記録メディアが容量不足の場合、再プリントのためのプリント用データが過剰な品質ならば自動的に解像度変換部が動作して、過剰な解像度が再プリントのためのプリントサイズと使用デジタルプリンタに対して適正となる解像度に変換される。これによりオペレータはメディアの残存容量や保存記録しようとするプリント用データのサイズをあまり気にせずに、デジタル写真処理作業を進めることができる。
【００１２】
本発明による別な実施形態の１つでは、前記データ記録部が解像度変換された前記プリント用データを圧縮処理するデータ圧縮部が備えられている。この構成では、解像度変換部によってプリント用データが過剰な解像度から適正な解像度に変換されてもなおもメディアの容量が不足する場合でも、画像圧縮技術によってデータサイズを小さくすることができる。その際、解像度変換部によってある程度までデータサイズは小さくされているので、圧縮率を大幅に小さくすることができ、非可逆的圧縮法を用いても再プリント時の画像品質の低下は無視できる程度に抑えることが可能となる。
このような圧縮処理における圧縮率の設定作業は、オペレータに負担を与えることになるので、本発明の好適な実施形態の１つでは、前記データ圧縮部における圧縮率が圧縮されるべきプリント用データの容量と前記リムーバブル記録メディアの記録可能容量との関係から自動的に設定されるように構成して、この装置によるデジタル写真処理作業の簡単化を図っている。
本発明によるその他の特徴及び利点は、以下図面を用いた実施例の説明により明らかになるだろう。
【００１３】
【発明の実施の形態】
以下、本発明によるデジタル写真処理装置の実施形態の１つを図面に基づいて説明する。
図１にはデジタル写真処理装置を示し、この装置ではタッチパネル式のディスプレイＤを一体的に備えた汎用コンピュータＭと、この汎用コンピュータＭによって処理された画像データに基づいて写真プリントを生成する昇華型のデジタルプリンタＰ（以下単にプリンタと称す）とが備えられている。汎用コンピュータＭには、さらに、デジタルカメラ（デジタルスチルカメラ）Ｃで被写体を撮影して得られた写真画像データが記録された記録メディアＲ（コンパクトフラッシュやＰＣカードやスマートメディア等）から画像データを読み取る入力部（メディアリーダ）１、及び、リムーバブル記録メディアとしてのＣＤ−ＲやフロッピーディスクＦＤとの間でデータを読み取り／書き込みを行うためにＣＤ−Ｒドライブ２とＦＤドライブ３が接続されている。プリンタＰは解像度が約３００ｄｐｉの昇華型のプリントヘッド（図示せず）を本体４に内蔵すると共に、ペーパカセット５にセットされたプリントペーパに対してプリントヘッドでプリントを行い排出部６に送り出すよう構成されている。又、ディスプレイＤはディスプレイ本体７とタッチパネル８とで構成されている。
【００１４】
このシステムでは前記ディスプレイＤの表示面に初期メニューがアイコンの形態で表示されるものとなっており、この初期メニューの１つを選択する際にはオペレータが指先をディスプレイに表示されたアイコン等に接触させるだけで、いわゆる、ＧＵＩ（Graphical User Interface) を採用した方式で処理アイテムを選択できるものとなっている。又、初期メニューには「証明写真」と「デジタルカメラ」と「リオーダー」と「デジタルカメラプリント」との処理を示す４つのアイコンが表示され（図示せず）、「証明写真」を選択した場合には後述するようにデジタルカメラＣで撮影された人物画像データを所定サイズの証明写真としてプリント出力する処理を行い、「デジタルカメラ」を選択した場合にはデジタルカメラＣで撮影された写真画像データを所定サイズにプリント出力する処理を行い、「リオーダー」を選択した場合には最初のプリント出力時にそのプリント用データを記録して渡しておいたフロッピーディスクＦＤを用いて焼き増しプリントする処理を行うものとなっている。
【００１５】
汎用コンピュータＭの中核部は、ＣＰＵ、ＲＯＭ、ＲＡＭ、Ｉ／Ｆ回路などから構成され、このデジタル写真処理装置に必要な各種機能をハードウエア又はソフトウエア或いはその両方で実現させている。特に本発明に関連する主な機能要素としては、図２に示すように、必要なプログラムや入力部１を通じて送り込まれてきた画像データを格納するメインメモリ１２、このメインメモリ１２に格納された画像データのうち処理対象となる画像データをワーキングメモリ１３に転送してトリミングや色調補正など各種画像処理を施す画像処理部１４、マニュアル入力やカードリーダなどを用いた機械的な入力を通じて得られた顧客名や顧客住所などの注文属性データや処理対象となった画像データに関する画像属性データを生成する属性データ処理部１９、ディスプレイ本体７に対するビデオ出力を行うビデオメモリ１５とビデオコントローラ１６、タッチパネル８からの信号を処理して各種コマンド信号をＣＰＵに送り込むポインティング制御部１７、画像処理部１４によって最終的に生成されたプリント用データに基づいてプリンタＰを制御するプリント制御部１８、後日の焼き増しプリントに備えて最終的に生成されたプリント用データを注文属性データや画像属性データとともにフロッピーディスクＦＤなどのリムーバブル記録メディアに記録するデータ記録部９が挙げられる。
【００１６】
このデータ記録部９には、フロッピーディスクＦＤに記録すべきプリント用データの解像度をプリンタＰの解像度（この実施例では昇華型の３００ｄｐｉ）に応じた適正解像度である３００ｄｐｉ相当に（ここで使用されているプリンタ機種は昇華型であり、そのプリンタ解像度が３００ｄｐｉなので、前述したように画像データの解像度は３００ｄｐｉを超えても画質の向上にはほとんど貢献しないことがわかっている）に変更する解像度変換部９１と、ＦＤドライブ３に装着されたフロッピーディスクＦＤに記録可能な容量を検出する容量チェック部９２と、任意に設定可能な圧縮率をもってプリント用データを圧縮するデータ圧縮部９３を備えている。
【００１７】
次に、このデジタル写真処理装置における作業の流れをＤＰショップにおける証明写真の作製を例として説明する。
まず、顧客の上半身を撮影記録した記録メディアＲを入力部（ここではメディアリーダ）１にセットした状態で、初期メニューから「証明写真」を選択した場合には、図３のフローチャートに示す証明写真処理制御が実行される。この制御では、選択ルーチン（＃２００ステップ）、位置決めルーチン（＃３００ステップ）、出力種類設定ルーチン（＃４００ステップ）、プリント処理ルーチン（＃５００ステップ）の順序で処理が行われるものとなっている（＃１０１〜＃１０８ステップ）。尚、記録メディアＲが入力部１にセットされない状態で「証明写真」が選択された場合には「メモリカード」をセットして下さい等のメッセージがディスプレイＤに表示される。
【００１８】
前記選択ルーチン（＃２００ステップ）では、図４のフローチャートに示すように、ディスプレイＤに対して図５に示す選択画面の表示を行うと共に（この表示の時点では選択画面中の３つのウインドウＷには人物画像は表示されていない）、記録メディアＲから順次該当する写真画像データが汎用コンピュータＭのメインメモリ１２に転送され、前記３つのウインドウＷに表示する（＃２０１、＃２０２ステップ）。一般に、証明写真の場合３度撮影するので、３つのウインドウＷにちょうど割り当てられるが、３度以上撮影した場合は、画面に表示された「矢印スイッチ」２１に指を接触させる操作に従って次の写真画像をスクロール表示させることができる（＃２０３ステップ）。
【００１９】
図５に示す画面で「戻るスイッチ」２２に指を接触させる操作が行われた場合には初期画面に戻る処理が行われるが（＃１０１ステップ）、この画面でディスプレイＤのウインドウＷに表示された写真画像に対する直接の指の接触でプリント出力する写真画像の選択が行われると（＃１０２ステップ）、その画像データがワーキングメモリ１３に転送される処理が行われ、次の位置決めルーチンが実行される。
【００２０】
位置決めルーチン（＃３００ステップ）では、図６のフローチャートに示す処理を行うことで、ディスプレイＤに対して図７に示す位置決め画面の表示を行うと共に、この画面に形成されたプレビューウインドウＰＷに対してワーキングメモリ１３に転送された画像データに基づく写真画像と、カーソルＣＵとを表示し、この画面に表示された「矢印スイッチ」２３に指を接触させる操作に従って、人物画像を左右に移動させて人物画像の横方向での中央位置をセットする（＃３０１、＃３０２ステップ）。尚、この処理に代えてカーソルＣＵを移動させることで人物画像の中心位置をセットする処理を採用してもよい。又、この左右方向での位置決めの処理の他に、上下方向での位置決め処理や、ズーム式に画像の大きさを調節する処理を併せて行うことで、きめ細やかな設定が可能である。
【００２１】
この位置決めルーチンに基づく表示状態で図７に示す如く、画面に表示された「決定スイッチ」２４に指を接触させて選択対象が決まると（＃１０４ステップ）、その画像の左右位置等の構図を決めるトリミング処理が行われ、引き続いて次の出力種類設定ルーチンが実行されるが、ディスプレイＤに表示された「戻るスイッチ」２２に指を接触させる操作が行われた場合には選択ルーチン（＃２００ステップ）に戻る（＃１０３ステップ）。
【００２２】
出力種類設定ルーチン（＃４００ステップ）では、図８のフローチャートに示す処理を行うことで、ディスプレイＤに対して図９に示す出力種類設定画面の表示が行われる。具体的には画面に表示された「運転免許証」「履歴書」「パスポート」「ビザ」「一般試験」「その他」の６つの「サイズ選択スイッチ」２５に指を接触させてサイズの選択が行われると、選択されたサイズをセットする処理が行われ（＃４０１〜＃４０３ステップ）、任意のサイズをセットするため画面に表示された「サイズ入力スイッチ」２６に指を接触させた場合には入力画面を表示し（図示せず）、この入力画面に基づいて入力された値をサイズにセットし（＃４０４〜＃４０６ステップ）、色補正を行うため画面に表示された「色補正スイッチ」２７に指を接触させた場合には色補正画面（図示せず）を表示し、この表示に従って補正値をセットし（＃４０７〜＃４０９ステップ）、モノクロームのプリントを行うために「白黒スイッチ」２８に指を接触させた場合には画像情報をモノクロームデータに変換する（＃４１０、＃４１１ステップ）。ワーキングメモリ１３に格納された画像データに対するこれらの画像処理は、画像処理部１４によって行われる。上述したような全ての画像処理が完了すると、ワーキングメモリ１３の画像データはプリント用データとしてプリント制御部１８に送られるのを待つことになるが、この最終的な画像データつまりプリント用データを後日生じるかもしれない焼き増しプリントのためにフロッピーディスクＦＤに記録保存する場合には、画面に表示された「ＦＤ出力スイッチ」２９に指を接触させ、後で詳しく説明する、プリント用データをフロッピーディスクＦＤに記録する処理を行う（＃４１２、＃６００ステップ）。また、焼き増し注文を簡便にするためにリピート券発行を採用している場合には「リピート券スイッチ」３０に指を接触させ、撮影日やオーダ番号とを証明写真と同じペーパにプリントする（図示せず）モードをセットする（＃４１４、＃４１５ステップ）ものとなっている。
【００２３】
図９に示す如く画面に表示された「プリントスイッチ」３１に指を接触させると（＃１０６ステップ）、次のプリント処理ルーチンが実行され、又、ディスプレイＤに表示された「戻るスイッチ」２２に指を接触させる操作が行われた場合には位置決めルーチン（＃３００ステップ）に戻る処理を行うものとなっている（＃１０５ステップ）。
【００２４】
前記プリント処理ルーチン（＃５００ステップ）では、図１０のフローチャートに示す処理を行うことで、ディスプレイＤに対して図１１に示すプリント処理画面の表示を行うと共に、ワーキングメモリ１３にロードされていた画像データをプリント用データとしてプリント制御部１８に転送し、そこでデジタルプリンタＰを制御する処理を行うものとなっている（＃５０１、＃５０２ステップ）。このようなプリント処理ルーチンが行われると、デジタルプリンタＰにおいて、出力種類設定ルーチンで設定されたサイズの証明写真が予め設定された枚数分プリント出力される。この後にディスプレイＤに表示された「終了スイッチ」３２に指を接触させる操作が行われた場合には初期画面に戻る処理が行われ（＃１０７ステップ）、「戻るスイッチ」２２に指を接触させる操作が行われた場合には出力種類設定ルーチン（＃４００ステップ）に戻る処理を行う（＃１０６ステップ）。
【００２５】
次に、プリント用データをフロッピーディスクＦＤに記録するプリント用データ記録ルーチンを図１２を用いて説明する。
まず、容量チェック部９２が入力部１にセットされた記録メディアとしてのフロッピーディスクＦＤにアクセスして書き込み可能な容量をチェックする（＃６１０ステップ）。検出された記録可能容量とワーキングメモリ１３にロードされているプリント用データの容量を比較して（＃６２０ステップ）、現状のままでフロッピーディスクＦＤにプリント用データの記録が可能な場合（＃６２０Yes 分岐）、記録メディアへの記録ルーチン（＃６８０ステップ）にジャンプする。現状のままでフロッピーディスクＦＤにプリント用データの記録が不可能な場合（＃６２０No分岐）、実質的に画質を低下させないプリント用データの解像度変換が可能かどうかをチェックする（＃６３０ステップ）。
【００２６】
このチェックは、記録しようとしているプリント用データが、前述した使用しているデジタルプリンタＰがもつ解像度に基づいて定義されている適正解像度である３００ｄｐｉを超えた解像度となっているかどうかを調べるものであり、例えば、プリント出力のサイズから導くことができる。プリント用データのサイズが１６００ｘ１２００ピクセルで、プリント出力される写真プリントのサイズが８ｘ６cmとすると、その解像度は約５００ｄｐｉとなり、これは過剰な解像度となり、少なくとも３００ｄｐｉ程度まで解像度を低下させることができる。
【００２７】
解像度変換が可能な場合（＃６３０Yes 分岐）、解像度変換部９１によって、先の例では５００ｄｐｉから３００ｄｐｉへの解像度変換が行われ、そのデータ容量は約半分以下に縮小される（＃６４０ステップ）。ここでさらに、解像度変換されたプリント用データがフロッピーディスクＦＤに記録可能かどうかチェックされ（＃６５０ステップ）、プリント用データの記録が可能な場合（＃６５０Yes 分岐）、記録メディアへの記録ルーチン（＃６８０ステップ）にジャンプする。解像度変換にもかかわらず、なおプリント用データの記録が不可能な場合（＃６５０No分岐）、ステップ＃６６０と＃６７０でデータ圧縮部９３によるデータ圧縮が行われる。なお、ステップ＃６３０で解像度変換が不可能と判定された場合もステップ＃６６０にジャンプしてデータ圧縮が行われる。
【００２８】
このデータ圧縮部９３によるプリント用データの圧縮処理では写真画像の圧縮法としてよく知られたＪＰＥＧ圧縮が用いられており、まずこの時点ではプリント用データのサイズとフロッピーディスクＦＤの記録可能容量から、ぎりぎり記録が可能となる程度の圧縮率が設定される（＃６６０ステップ）。次いで、設定された圧縮率でもってプリント用データに対して圧縮が行われる（＃６７０ステップ）。
【００２９】
圧縮されたプリント用データ、あるいはステップ＃６５０で解像度変換で記録可能と判定されたプリント用データ、さらには場合によってはステップ＃６２０で生データのままで記録可能とされたプリント用データは、ＦＤドライブ３によるフロッピーディスクＦＤ（記録メディア）への書き込みルーチンにより、フロッピーディスクＦＤに記録保存される（＃６８０）。なお、この記録メディアへの書き込みルーチンでは、プリント用データとともに、属性データ処理部１９によって生成された顧客名や顧客住所などの注文属性データやこのプリント用データの元となった画像データに関する画像属性データが書き込まれる。
【００３０】
このようなプリント用データ記録ルーチンの働きにより、証明写真サービス時の焼き増し目的のフロッピーディスク配布がスムーズにおこなわれるようになった。これまで説明した証明写真サービスだけでなく、デジタル写真サービスでも、上述した解像度変換などによるデータサイズの縮小化は重要である。なぜなら、デジタル写真サービスでは、プリント出力されるコマ数は多数になり、それに伴って焼き増し目的に記録されるプリント用データのサイズも大きくなり、ＣＤ−ＲやＭＯなどの大容量記録メディアが使用されることになるが、顧客の保管管理の観点からできるだけ１枚に多くのコマのプリント用データを記録したいという要望は高いからである。デジタル写真サービス時では、実質的に記録メディアに対するプリント用データの記録可能チェックは、全コマ画像データに対して行われることで、上述した証明写真サービス時の処理ルーチンと異なるだけである。
【００３１】
上述した実施の形態では、デジタル化された画像データとしてデジタルカメラによって取得された画像データを取り扱ったが、デジタルカメラ以外、デジタルビデオカメラはもちろん、フィルムスキャナやフラットベットスキャナなどによってデジタル化された画像データや、ＣＧソフトなどによって生成された画像データなども本発明の枠内に入るものである。
【図面の簡単な説明】
【図１】本発明によるデジタル写真処理装置の一例の構成を示す斜視図
【図２】図１によるデジタル写真処理装置の制御系を示すブロック図
【図３】証明写真処理制御のフローチャート
【図４】選択ルーチンのフローチャート
【図５】選択画面を示す図
【図６】位置決めルーチンのフローチャート
【図７】位置決め画面を示す図
【図８】出力種類設定ルーチンのフローチャート
【図９】出力種類設定画面を示す図
【図１０】プリント処理ルーチンのフローチャート
【図１１】プリント処理画面を示す図
【図１２】プリント用データ記録ルーチンのフローチャート
【符号の説明】
１  入力部（メディアリーダ）
９  データ記録部
１４  画像処理部
１８  プリント制御部
１９  属性データ生成部
９１  解像度変換部
９２  容量チェック部
９３  データ圧縮部
Ｃ  デジタルカメラ
Ｄ  ディスプレイ
ＦＤ  フロッピーディスク（リムーバブル記録メディア）
Ｍ  汎用コンピュータ
Ｐ  デジタルプリンタ
Ｒ  記録メディア
【図１】
0003731718.tif 000002
【図２】
0003731718.tif 000003
【図３】
0003731718.tif 000004
【図４】
0003731718.tif 000005
【図５】
0003731718.tif 000006
【図６】
0003731718.tif 000007
【図７】
0003731718.tif 000008
【図８】
0003731718.tif 000009
【図９】
0003731718.tif 000010
【図１０】
0003731718.tif 000011
【図１１】
0003731718.tif 000012
【図１２】
0003731718.tif 000013